(57)【特許請求の範囲】
【請求項１】
建物の室内面に添設するパネル材の側縁部に枠材を設け、枠材に側外方に開口する外側凹条部を形成し、外側凹条部内に照明装置を収めて配置し、
照明装置は、長手方向の端部に設けた光源からの光が内部に導入される長尺の導光材で構成され、
導光材の側内方を向く端面に、該導入された光を反射して導光材の側外方に照射させるための導光パターンをその長手方向に亘って設け、
導光パターンを、パネル材を設置した室内面から離れる側に偏らせて配置したことを特徴とするパネル外枠構造。
【請求項２】
照明装置は、枠材の長さ方向に連続的に光を照射する装置で構成して成ることを特徴とする請求項１記載のパネル外枠構造。
【請求項３】
外側凹条部の室内側構成部位に側外端部が照明装置より側外方に位置した庇部を設けたことを特徴とする請求項１または２に記載のパネル外枠構造。
【発明の詳細な説明】
【技術分野】
【０００１】
本発明は、パネル外枠構造に関するものである。
【背景技術】
【０００２】
従来から建物の居室内面に発光手段を備えた装飾物を設けて室内外観を高めようとする試みがなされている（たとえば特許文献１参照）。
【０００３】
しかしながら、特許文献１のように板状装飾物自体を照らしたり光らせるものは平面的な電飾広告板を連想させて安っぽさを現出するから外観向上効果は期待できるものではなかった。
【特許文献１】特開２００２−２１３１５号公報
【発明の開示】
【発明が解決しようとする課題】
【０００４】
本発明は上記の点に鑑みてなされたものであり、その目的とするところは、建物の室内面に添設したパネル材をその周囲から間接照明で浮き上がらせるといった光の演出にて良好な室内外観を現出できるパネル外枠構造を提供することにある。
【課題を解決するための手段】
【０００５】
上記課題を解決するために請求項１に係る発明にあっては、以下の構成を有したことを特徴とする。すなわち、建物の室内面２に添設するパネル材３の側縁部に枠材４を設ける。枠材４に側外方に開口する外側凹条部１８を形成する。外側凹条部１８内に照明装置５を収めて配置し、照明装置５は、長手方向の端部に設けた光源２１からの光が内部に導入される長尺の導光材２２で構成され、導光材２２の側内方を向く端面に、該導入された光を反射して導光材２２の側外方に照射させるための導光パターン２４をその長手方向に亘って設け、導光パターン２４を、パネル材３を設置した室内面２から離れる側に偏らせて配置する。
【０００６】
これによると、照明装置５からの光は枠材４の外側凹条部１８の開口から側外方に向けて照射されるのであり、この側外方に向けて照射された光によってパネル材３の周囲の室内面２を照らすことができ、室内面２の照り返しによる間接照明にてパネル材３を浮き上がらせるという光の演出がなされ、立体的で高級感のある良好な室内外観を現出できる。また、導光パターン２４を設けた導光材２２によって１つの光源の光で線状光を形成できるのであり、線状光を照射する照明装置５を簡単な構成で実現できる。また、導光パターン２４は光を側外方に照射させる実質的な発光部位となるが、この導光パターン２４は、パネル材３を設置した室内面２から離れる側に偏らせて配置したので、外側凹条部１８の室内側構成部位のすぐ裏手に導光パターン２４を位置できて、導光パターン２４から照射された光を室内側に至らせないように外側凹条部１８の室内側構成部位にて遮るようにでき、パネル材３の周囲の室内面２を照らすことで得る間接照明を確実且つ綺麗に現出できて室内外観を向上できる。
【０００７】
また、請求項２に係る発明にあっては、請求項１に加えて、以下の構成を有したことを特徴とする。すなわち、照明装置５は、枠材４の長さ方向に連続的に光を照射する装置で構成してある。
【０００８】
これによると、枠材４からその長さ方向に切れ目の無い線状光を室内面２に向けて照射でき、良好な室内外観を現出できる。
【００１３】
また、請求項３に係る発明にあっては、請求項１または２に加えて、以下の構成を有したことを特徴とする。すなわち、外側凹条部１８の室内側構成部位に側外端部が照明装置５より側外方に位置した庇部１２を設ける。
【００１４】
これによると、側外端部が照明装置５より側外方に位置した外側凹条部１８の室内側構成部位（庇部１２）によって照明装置５から照射した光を室内側に至らせないように遮るようにでき、パネル材３の周囲の室内面２を照らすことで得る間接照明を確実且つ綺麗に現出できて室内外観を向上できる。
【発明の効果】
【００１５】
本発明にあっては、建物の室内面に添設したパネル材をその周囲から間接照明で浮き上がらせるといった光の演出にて良好な室内外観を現出できる、という利点を有する。
【発明を実施するための最良の形態】
【００１６】
以下、本発明を添付図面に示す実施形態に基いて説明する。
【００１７】
本例の室内装飾物１は、図１（ａ）のように、建物の天井面や壁面等の室内面２にパネル材３を添わせて配設し、このパネル材３の周縁に設けたパネル外枠（以下、枠材４という）に照明装置５を備えている。以下、詳述する。
【００１８】
パネル材３は木製や金属製等、適宜材質の板材を用いることができ、本例では複数枚の小パネル材３´を並設して互いに嵌合等で連結させて一枚の矩形状のパネル材３を形成させている。
【００１９】
枠材４は、樹脂製または金属製であり、パネル材３の各辺部３ａでは長尺の辺枠部４ａをそれぞれ設けると共に、辺枠部４ａの切れ目１６となるパネル材３のコーナー部３ｂではコーナーカバー部材６を被設することで、パネル材３の周囲を連続して囲うように設けられる。そして、枠材４の辺枠部４ａは、図１（ｂ）のように、建物の室内面２に固定すると共にパネル材３の側縁部を取り付けるためのベース部材７と、辺枠部４ａの表面部を構成するカバー部材８と、側外方に発光する照明装置５を装着するケース部材９とで構成されている。
【００２０】
なお、図１（ｂ）は枠材４の辺枠部４ａをその長手方向で分断するように断面を設定した縦断面図であり、便宜上、矢印イを側内方向（パネル材３の中央に向く方向）、矢印ロを側外方向（パネル材３から離れる方向）、矢印ハを表方向（室内空間に向く方向）、矢印ニを裏方向（室内面２に向く方向）として説明する。
【００２１】
ベース部材７は、略Ｉ字状の縦断面を有すると共にパネル材３の辺部３ａに亙る長さを有する長尺型枠材である。このベース部材７は釘やビス等の固着具を用いて室内面２に固定される。ベース部材７の側内部には内側に開口するパネル取付用凹所１０が設けられ、パネル材３の側端部を係合してパネル材３を支持する。ベース部材７の側外部にはケース部材９を着脱させるケース用係合部１１が設けられている。ベース部材７の表面部にはカバー部材８を着脱させるカバー用係合部１４が設けられている。
【００２２】
ケース部材９は、図１（ｂ）、図２のように、略工字状の縦断面を有する長尺のハウジング１７を有し、このハウジング１７に側外方に発光する照明装置５を装備させている。このハウジング１７には、側外方に開口する外側凹条部１８と側内方に開口する内側凹条部１９とが背中合わせ状に設けられている。
【００２３】
照明装置５は、長手方向の端部に設けた光源２１からの光を内部に導入して導光パターン２４で反射させて側外方に照射させる長尺の導光材２２で構成される。なお、光源２１はケース部材９の長手方向の端部に装着したキャップ部材２０に設けてあり、ケース部材９にキャップ部材２０を装着すると光源２１が導光材２２の長手方向の端部に隣接して配置される。導光材２２の内方端面における表側域には凹凸を刻設する等して成る導光パターン２４が形成されており、この導光パターン２４で導光材２２の内部に導入された光源２１からの光を側外方に向けて反射させて照射させている。この導光パターン２４は導光材２２の長手方向に亙って設けられ、導光材２２から線状光を照射可能にしている。
【００２４】
この導光材２２は外側凹条部１８の外側開口１８ａの両縁に形成された抜止め凸部２３によって抜け止めがされた状態で外側凹条部１８の内部に収めて配設される。なお、光源２１としてはＬＥＤなどの発光機器を用いるのがよく、また図中２１ａは光源２１に付属する給電線接続コネクタである。
【００２５】
ここで、キャップ部材２０はケース部材９の長手方向の両端を塞ぐように装着されるのであるが、本例のように少なくとも一方のキャップ部材２０を光源２１の備わるキャップ部材２０ａで構成すればよく、このとき他方のキャップ部材２０は光源２１が備わらないが導光材２２の内部を経て至った光を再び導光材２２の内部に反射させるキャップ部材２０ｂで構成することができる。なお、少なくとも一方のキャップ部材２０には、導光材２２の内部を経て至った光の一部を透過させる、貫通孔や透明部材等で成る透光部２９が形成されている。
【００２６】
また、内側凹条部１９の内部は配線収納スペースＳとして利用されて光源２１への給電線が収めて配線される。この内側凹条部１９の内側開口１９ａの両縁には、先端が自由端となる突起状のケース用被係合部２５が設けられている。本例では内側凹条部１９の内側開口１９ａは幅狭になるように形成され、内側凹条部１９の内部の配線収納スペースＳに配線した給電線が内側開口１９ａから飛び出る恐れを低減させている。なお、図中２８はキャップ部材２０を固定するビス等の固定具２７（図２（ｃ））を挿着させる挿着孔である。
【００２７】
そして、このケース部材９は、ケース用被係合部２５をベース部材７のケース用係合部１１に係合させることで、ベース部材７の側外方に添うように配設される。ここで、突起状のケース用被係合部２５は、内側凹条部１９の凹側面部位も利用して大きな弾性を備えることとなっており、ケース用係合部１１との係合作業の良好な作業性を確保している。
【００２８】
カバー部材８は、面一状の表面を有する長尺の板状部材であり、その裏面部にはカバー用被係合部１３が設けられている。また、カバー部材８の両幅端部には室内面２側に折り曲げた折曲縁１５が形成され、リブ効果により剛性強度が高められている。そして、このカバー部材８は、カバー用被係合部１３をベース部材７のカバー用係合部１４に係合させることで、ベース部材７及びケース部材９の表面側を覆うように配設される。
【００２９】
上記構成を有する室内装飾物１は、建物の室内面２に添設するパネル材３の側縁部に設けた枠材４に備えた照明装置５から側外方へ光を照射し、パネル材３の周囲の室内面２を照らすことで、間接照明にてパネル材３の室内面２からの浮き上がりを強調するといった従来に無い光の演出で、立体的で高級感のある良好な室内外観を現出できたものである。なお、図１（ｂ）で点を付した領域が光の照射された領域である。
【００３０】
ここで、ベース部材７に取り付けたカバー部材８はその側外端部がケース部材９の側外端部よりも側外方に位置され、つまりカバー部材８の外側端部は照明装置５より側外方に位置した庇部１２を構成している。すなわち、側外端部が照明装置５より側外方に位置した庇部１２によって照明装置５から照射した光を室内側に至らせないように遮るようにでき、パネル材３の周囲の室内面２を照らして得る間接照明を確実且つ綺麗に現出でき、室内外観の向上が図られている。
【００３１】
更に言うと、照明装置５における導光材２２はその導光パターン２４が光を側外方に向けて照射する実質的な発光部位となっているのであり、この導光パターン２４は、導光材２２の内方端面における表側域にのみ設けられており、つまり外側凹条部１８の室内側構成部位の直ぐ裏手に位置している。したがって、導光パターン２４から照射された光は外側凹条部１８の室内側構成部位で遮って室内側に照射されることが防止されるから、この点でも、パネル材３の周囲の室内面２を照らすことで得る間接照明を確実且つ綺麗に現出でき、室内外観の向上が図られている。
【００３２】
なお、導光パターン２４から照射された光のうち庇部１２を含めた外側凹条部１８の室内側構成部位で遮られた光は、パネル材３の側外方の室内面２に向けて反射されるので、光を集めて間接照明の照度を向上させることができる利点も有している。
【００３３】
また、本例の室内装飾物１では、パネル材３の辺部３ａに対して２つのケース部材９を列設配置し、各ケース部材９毎の照明装置５にて側外方に光を照射させているが、ケース部材９の連結部位でもキャップ部材２０に設けた透光部２９からの光を側外方に照射させて、パネル材３の辺部３ａの周囲の室内面２をムラなく照らし得るようにしている。
【００３４】
なお、上記実施形態では照明装置５における光を側外方に向けて照射する実質的な発光部位としては導光材２２の内方端面に刻設した導光パターン２４がこれを構成しているが、たとえば導光材２２の内方端面に貼着等して添設した反射部材などの他の手段で構成することもできる。
【図面の簡単な説明】
【００３５】
【図１】本発明の実施の形態の例の室内装飾であり、（ａ）は全体斜視図であり、（ｂ）は（ａ）のＡ−Ａ線の縦断面図である。
【図２】同上のケース部材であり、（ａ）は全体斜視図であり、（ｂ）は分解斜視図であり、（ｃ）は（ａ）のＢ部分の斜視図であり、（ｄ）は（ａ）のＢ部分を別の方向から見た一部を透視した斜視図である。
【符号の説明】
【００３６】
１  室内装飾物
２  室内面
３  パネル材
４  枠材
５  照明装置
１２  庇部
１８  外側凹条部
２１  光源
２２  導光材
２４  導光パターン
【図１】
0005192848.tif 000002
【図２】
0005192848.tif 000003